(57)【要約】【課題】所定方向に並ぶ画像をスクロール可能なユーザインタフェースにおける操作性を向上できる表示装置および表示プログラムを提供すること。【解決手段】本発明によれば、画像の移動指示を受け付けた場合、当該移動指示に基づき算出された画像の移動量が、表示部に表示されている画像を、移動指示により示される移動方向に移動させたときに、複数の画像のうち表示部に表示される画像が当該複数の画像の配列順に従う先頭側または最後尾側の表示限界に達するまでの移動量である移動可能量以上である場合、画像更新手段による更新後の画像の表示態様が、当該更新の前とは異なる表示態様とされる。ユーザは、表示態様の違いによって、所定方向に並ぶ画像を所定方向または所定方向とは逆方向にそれ以上移動できないことを認識できるので、所定方向に並ぶ画像をスクロール可能なユーザインタフェースの操作性が向上する【選択図】図２
2014160323.tif 000002
【特許請求の範囲】
【請求項１】
表示部と、
前記表示部に重なり、接近または接触する指示物の所定方向または前記所定方向とは逆方向への移動を検知するタッチパネルと、
制御部とを備え、
前記制御部は、
記憶部に記憶されている複数のデータのそれぞれに対応する複数の画像のうち、少なくとも一部の画像を、所定の配列順に従い前記所定方向に配列させて前記表示部に表示する画像表示手段と、
前記タッチパネルによる前記指示物の移動の検知に基づく、前記表示部に表示された画像の移動指示を受け付けた場合に、当該移動指示に基づいて、移動量を算出する移動量算出手段と、
前記移動指示を受け付けた場合に、前記表示部に表示されている画像を、当該移動指示により示される移動方向に、前記移動量算出手段により算出された移動量に応じて移動させ、前記画像表示手段により前記表示部に表示させる画像を更新する画像更新手段と、
前記移動量算出手段により算出された移動量が、前記表示部に表示されている画像を前記移動指示により示される移動方向に移動させたときに前記複数の画像のうち前記表示部に表示される画像が前記配列順に従う先頭側または最後尾側に達するまでの移動量である移動可能量以上である場合、前記画像更新手段による更新後に前記表示部に表示される画像の表示態様を、当該更新の前の表示態様と異ならせる態様制御手段と、
を備えていることを特徴とする表示装置。
【請求項２】
前記表示態様は、画像の透明度であり、
前記態様制御手段は、前記移動量算出手段により算出された移動量が前記移動可能量以上である場合、前記画像更新手段による更新後に前記表示部により表示される画像の透明度を、当該更新の前の透明度より高い値にすることを特徴とする請求項１記載の表示装置。
【請求項３】
前記態様制御手段は、前記画像更新手段による更新後に前記表示部により表示される画像の透明度を、当該更新の前の透明度より高い値であり、かつ、画像が不可視にならない値にすることを特徴とする請求項２記載の表示装置。
【請求項４】
前記態様制御手段は、前記移動量算出手段により算出された移動量が前記移動可能量以上である場合、前記画像更新手段による更新後に前記表示部により表示される画像の透明度を、前記移動量と前記移動可能量との差分が大きい程、より高い値にすることを特徴とする請求項２または３記載の表示装置。
【請求項５】
前記態様制御手段は、前記移動量算出手段により算出された移動量が前記移動可能量以上である場合、前記画像更新手段による更新後に前記表示部により表示される画像の表示態様を、当該更新の前の表示態様と一時的に異ならせ、所定のタイミングで当該更新の前の表示態様に戻すことを特徴とする請求項１から４のいずれかに記載の表示装置。
【請求項６】
所定の機能を実行可能な機能部を備え、
前記複数の画像を構成する各画像に対応するデータは、前記機能部を機能させる場合に適用する１または複数の設定値から構成される第１設定データ、あるいは、当該第１設定データに対応付けられた設定値を示す第２設定データであり、
前記画像表示手段は、前記複数の画像のうち、前記少なくとも一部の画像を前記表示部に表示させるとともに、前記表示部に表示させた画像のうち、１の画像に対応する前記第１設定データが示す設定値のうち少なくとも一部の設定値、または、当該１の画像に対応する前記第２設定データが示す設定値を前記表示部に表示させ、
前記画像更新手段は、前記移動指示に基づき前記画像を移動させている間、前記表示部に表示されている前記設定値を非表示にすることを特徴とする請求項１から５のいずれかに記載の表示装置。
【請求項７】
前記画像表示手段は、前記複数の画像のうち、前記少なくとも一部の画像を前記表示部に表示させるとともに、前記機能部を機能させる場合に適用する設定値であって、前記複数の画像各々に共通する設定値を、当該表示部に表示させ、
前記画像更新手段は、前記移動指示に基づき前記画像を移動させている間、前記表示部に表示されている設定値であって、前記複数の画像各々に共通する設定値の表示を継続することを特徴とする請求項６記載の表示装置。
【請求項８】
表示部と、前記表示部に重なり、接近または接触する指示物の所定方向または前記所定方向とは逆方向への移動を検知するタッチパネルと、制御部とを備えた表示装置の前記制御部が実行する表示プログラムであって、
記憶部に記憶されている複数のデータのそれぞれに対応する複数の画像のうち、少なくとも一部の画像を、所定の配列順に従い前記所定方向に配列させて前記表示部に表示する画像表示手段と、
前記タッチパネルによる前記指示物の移動の検知に基づく、前記表示部に表示された画像の移動指示を受け付けた場合に、当該移動指示に基づいて、移動量を算出する移動量算出手段と、
前記移動指示を受け付けた場合に、前記表示部に表示されている画像を、当該移動指示により示される移動方向に、前記移動量算出手段により算出された移動量に応じて移動させ、前記画像表示手段により前記表示部に表示させる画像を更新する画像更新手段と、
前記移動量算出手段により算出された移動量が、前記表示部に表示されている画像を前記移動指示により示される移動方向に移動させたときに前記複数の画像のうち前記表示部に表示される画像が前記配列順に従う先頭側または最後尾側に達するまでの移動量である移動可能量以上である場合、前記画像更新手段による更新後に前記表示部に表示される画像の表示態様を、当該更新の前の表示態様と異ならせる態様制御手段として、
前記制御部を機能させることを特徴とする表示プログラム。
【発明の詳細な説明】
【技術分野】
【０００１】
本発明は、表示装置および表示プログラムに関する。
【背景技術】
【０００２】
特許文献１には、タッチパネルを搭載した情報機器において、表示画面上に表示されたアイコンをタッチしたまま横方向にスライド操作させることで、一列に並ぶアイコンを当該スライドさせた方向にスクロールできることが記載されている。特許文献１にはまた、一列に並ぶアイコンのうち左右端のアイコンがそれぞれ表示画面の左右端に位置する場合、それ以上右または左方向にスクロールできないことが記載されている。
【先行技術文献】
【特許文献】
【０００３】
【特許文献１】特開２０１２−７９０６５号公報
【発明の概要】
【発明が解決しようとする課題】
【０００４】
スライド操作が上手く行われなかった場合など、他の原因によってアイコンのスクロールが行われないこともある。そのため、特許文献１に記載されるアイコンのスクロール様式では、スライド操作が行われたにも関わらず、アイコンがスクロールされなかった場合に、その原因が、最も端のアイコンが表示画面の端に位置したことによるものなのか、スライド操作が上手く行われなかった等の他の原因によるものかを、ユーザは区別し難く、ユーザインタフェースとしての操作性が損なわれる。
【０００５】
本発明は、上述した事情を鑑みてなされたものであり、所定方向に並ぶ画像をスクロール可能なユーザインタフェースにおける操作性を向上できる表示装置および表示プログラムを提供することを目的とする。
【課題を解決するための手段】
【０００６】
この目的を達成するために、本発明の表示装置は、表示部と、前記表示部に重なり、接近または接触する指示物の所定方向または前記所定方向とは逆方向への移動を検知するタッチパネルと、制御部とを備え、前記制御部は、記憶部に記憶されている複数のデータのそれぞれに対応する複数の画像のうち、少なくとも一部の画像を、所定の配列順に従い前記所定方向に配列させて前記表示部に表示する画像表示手段と、前記タッチパネルによる前記指示物の移動の検知に基づく、前記表示部に表示された画像の移動指示を受け付けた場合に、当該移動指示に基づいて、移動量を算出する移動量算出手段と、前記移動指示を受け付けた場合に、前記表示部に表示されている画像を、当該移動指示により示される移動方向に、前記移動量算出手段により算出された移動量に応じて移動させ、前記画像表示手段により前記表示部に表示させる画像を更新する画像更新手段と、前記移動量算出手段により算出された移動量が、前記表示部に表示されている画像を前記移動指示により示される移動方向に移動させたときに前記複数の画像のうち前記表示部に表示される画像が前記配列順に従う先頭側または最後尾側に達するまでの移動量である移動可能量以上である場合、前記画像更新手段による更新後に前記表示部に表示される画像の表示態様を、当該更新の前の表示態様と異ならせる態様制御手段と、を備えている。
【０００７】
なお、本発明は、表示装置を制御する制御装置、表示システム、表示方法、表示装置を制御するための表示プログラム、該表示プログラムを記録する記録媒体等の種々の態様で構成できる。
【発明の効果】
【０００８】
請求項１記載の表示装置によれば、タッチパネルによる、接近または接触する指示物の所定方向または当該所定方向とは逆方向への移動の検知に基づく、表示部に表示された画像の移動指示を受け付けた場合、当該移動指示に基づいて移動量が算出される。そして、表示部に表示されている画像を、移動指示により示される移動方向に、算出された移動量に応じて移動させて、表示部に表示させる画像が、画像更新手段により更新される。ここで、算出された移動量が、表示部に表示されている画像を、移動指示により示される移動方向に移動させたときに、複数の画像のうち表示部に表示される画像が当該複数の画像の配列順に従う先頭側または最後尾側の表示限界に達するまでの移動量である移動可能量以上である場合、画像更新手段による画像の更新後に表示部により表示される画像の表示態様が、当該更新の前とは異なる表示態様とされる。よって、ユーザは、表示態様の違いによって、所定方向に並ぶ画像を所定方向または所定方向とは逆方向にそれ以上移動できないことを認識できるので、所定方向に並ぶ画像をスクロール可能なユーザインタフェースにおける操作性を向上できる。
【０００９】
請求項２記載の表示装置によれば、請求項１が奏する効果に加え、次の効果を奏する。画像更新手段による画像の更新後に表示部により表示される画像の透明度が、当該更新の前より高い値の透明度とされるので、ユーザは、所定方向に並ぶ画像を所定方向または所定方向とは逆方向にそれ以上移動できないことを視覚的に認識し易い。
【００１０】
請求項３記載の表示装置によれば、請求項２が奏する効果に加え、次の効果を奏する。画像更新手段による画像の更新後に表示部により表示される画像の透明度が、当該更新の前の透明度より高い値であり、かつ、画像が不可視にならない値とされるので、ユーザは、画像が視認できなくなったことで混乱することを防止できる。
【００１１】
請求項４記載の表示装置によれば、請求項２または３が奏する効果に加え、次の効果を奏する。移動指示に基づき算出された移動量が移動可能量以上である場合、当該移動量と移動可能量との差分が大きい程、画像更新手段による画像の更新後に表示部により表示される画像の透明度が高くなるので、ユーザは、移動指示に基づき算出される移動量が大きくなるほど、画像がフェードアウトするような感覚によって、所定方向に並ぶ画像を所定方向または所定方向とは逆方向にそれ以上移動できないことを認識できる。
【００１２】
請求項５記載の表示装置によれば、請求項１から４のいずれかが奏する効果に加え、次の効果を奏する。移動指示に基づき算出された移動量が移動可能量以上である場合、画像更新手段による更新後に表示部により表示される画像の表示態様を一時的に異ならせ、所定のタイミングで当該更新の前の表示態様に戻されるので、ユーザは、表示態様の一時的な変化によって、所定方向に並ぶ画像を所定方向または所定方向とは逆方向にそれ以上移動できないことを強く認識し易い。また、所定のタイミングで更新前の表示態様に戻されるので、ユーザは、画像更新手段による更新前と同様にユーザインタフェースを操作できる。なお、請求項５における「所定のタイミング」としては、移動指示に基づき算出された移動量と移動可能量との差分に応じて決められる時間が経過したタイミングや、指示物がタッチパネルにより検知されなくなったタイミングなどが含まれる。
【００１３】
請求項６記載の表示装置によれば、請求項１から５のいずれかが奏する効果に加え、次の効果を奏する。移動指示に基づき画像が移動される間、表示部に表示された画像のうち、１の画像に対応する第１設定データが示す設定値のうち少なくとも一部の設定値、または、当該１の画像に対応する第２設定データが示す設定値については非表示とされる。よって、移動指示に基づく画像の移動中における表示の視認性を向上できる。
【００１４】
請求項７記載の表示装置によれば、請求項６が奏する効果に加え、次の効果を奏する。移動指示に基づき画像が移動される間、機能部を機能させる場合に適用する設定値であって、複数の画像各々に共通する設定値の表示は継続される。よって、ユーザは、移動指示に基づき画像が移動される間も、複数の画像各々に共通する設定値を常に認識できる。
【図面の簡単な説明】
【００１５】
【図１】多機能周辺装置の電気的構成を示すブロック図である。
【図２】設定画面の表示態様の一例を示す模式図である。
【図３】設定画面の表示態様の一例を示す模式図である。
【図４】表示制御処理を示すフローチャートである。
【発明を実施するための形態】
【００１６】
以下、本発明の好ましい実施形態について、添付図面を参照して説明する。図１は、本発明の表示装置の一実施形態である多機能周辺装置（以下「ＭＦＰ」と称す）１０の電気的構成を示すブロック図である。ＭＦＰ１０は、コピー機能、プリント機能、スキャン機能、ファクシミリ機能などの各種機能を有している。本実施形態のＭＦＰ１０は、各機能に関わる設定を行うためのユーザインタフェースである設定画面の操作性に優れる。
【００１７】
ＭＦＰ１０には、ＣＰＵ１１、フラッシュメモリ１２、ＲＡＭ１３、操作キー１５、ＬＣＤ１６、タッチパネル１７、スキャナ１８、プリンタ１９、ＮＣＵ２０、モデム２１、ＵＳＢインタフェース（ＵＳＢ＿Ｉ／Ｆ）２４、ネットワークインタフェース（Ｎｅｔ＿Ｉ／Ｆ）２５、メモリカードインタフェース（メモリカードＩ／Ｆ）２６が主に設けられている。各部１１〜１３，１５〜２１，２４〜２６は、入出力ポート２７を介して互いに接続されている。
【００１８】
ＣＰＵ１１は、フラッシュメモリ１２に記憶される固定値やプログラム、ＲＡＭ１３に記憶されているデータ、あるいは、ＮＣＵ２０を介して送受信される各種信号に従って、ＭＦＰ１０が有している各機能の制御や、入出力ポート２７に接続された各部を制御する。フラッシュメモリ１２は、不揮発性のメモリであり、ＭＦＰ１０の動作を制御する制御プログラム１２ａ等が格納される。後述する図４のフローチャートに示す各処理は、制御プログラム１２ａに従ってＣＰＵ１１により実行される。また、フラッシュメモリ１２には、設定値データ１２ｂと、アイコン名データ１２ｃとが記憶される。設定値データ１２ｂは、ＭＦＰ１０が実行可能な機能毎に設定されている設定値のデータである。アイコン名データ１２ｃは、設定値の組み合わせに対応付けた１のアイコンに対して付されたアイコン名を示すデータである。出荷時のＭＦＰ１０には、設定値データ１２ｂおよびアイコン名データ１２ｃとして所定の値が初期値として記憶されている。設定値データ１２ｂおよびアイコン名データ１２ｃの値は、必要に応じて、ユーザ入力により変更または追加できる。ＲＡＭ１３は、ＣＰＵ１１が制御プログラム１２ａを実行するにあたり、各種データを一時的に記憶するためのテンポラリエリアを有する書換可能な揮発性のメモリである。
【００１９】
操作キー１５は、各種の設定値や指示などをユーザから受け付けるためのメカニカルキーである。ＬＣＤ１６は、各種画面を表示する液晶表示装置である。タッチパネル１７は、ＬＣＤ１６に重ねて設けられ、例えば、指や棒などの指示物がＬＣＤ１６に表示された画面に対してタッチ又は近づいた場合に、タッチ又は近づいた位置を検知し、検知した位置をＣＰＵ１１に入力する。スキャナ１８は、原稿を読み取って画像データに変換する。プリンタ１９は、画像データに基づく画像を記録用紙に印刷する。モデム２１は、ＦＡＸ送信時には送信すべき画像データを、電話回線網（図示せず）に伝送可能な信号に変調してＮＣＵ２０を介して送信し、または、電話回線網からＮＣＵ２０を介して入力された信号を画像データに復調する。ＮＣＵ２０は、電話回線網（図示せず）とＭＦＰ１０との間を接続するものであり、モデム２１からの指示に従って、回線を閉結または切断することにより、電話回線網との間の接続状態を制御する。
【００２０】
ＵＳＢ＿Ｉ／Ｆ２４は、ＵＳＢプラグを介して、パーソナルコンピュータ（ＰＣ）やＵＳＢメモリなどの記憶媒体などの外部装置を通信可能に接続するための装置であり、周知の装置で構成される。Ｎｅｔ＿Ｉ／Ｆ２５は、ＭＦＰ１０を図示しないインターネットやＬＡＮ回線などのネットワークに接続するためのインタフェースである。メモリカードＩ／Ｆ２６は、書換可能な不揮発性のメモリカード（図示せず）が装着されるインタフェースであり、メモリカードに対するデータの書き込み又は読み出しを制御する。
【００２１】
次に、図２および図３を参照して、ＭＦＰ１０が実行可能な各機能に関わる設定を行うための設定画面について説明する。図２は、各機能毎に、当該機能を使用する際の用途に応じた設定値を設定するための設定画面５０の一例を示す模式図である。図２に例示する設定画面５０は、ＭＦＰ１０が表示可能な設定画面のうち、コピー機能を使用する際の用途に応じた設定値を設定するためのコピー設定画面５０ａである。コピー設定画面５０ａには、左右方向（矢印Ｌまたは矢印Ｒ方向）に並ぶアイコン５１が表示される。アイコン５１は、コピーを行う際の設定値の組み合わせをユーザに選択させるための画像である。１のアイコン５１に対し、コピー用途に応じた設定値の組み合わせの１つが対応付けられる。なお、各アイコン５１に対応付けられる設定値は、設定値データ１２ｂとして記憶されている値である。
【００２２】
アイコン５１が静止している場合、すなわち、アイコンがスクロールしていない場合、左右方向に並ぶアイコン５１のうち、マーク６１の下方（矢印Ｂ方向）に設けられた指定位置に位置する１のアイコン５１が選択された（アクティブな）アイコンとなる。選択されたアイコン５１は、その背景が着色されて、選択されていない他のアイコン５１とは視覚的に区別される。図２（ａ）に示す例では、アイコン５１ａが選択されたアイコンである。また、選択されたアイコン５１の上方（矢印Ｕ方向）には、当該アイコン５１に対応付けられたアイコン名データ１２ｃが示すアイコン名７１が表示される。アイコン名７１は、設定値の組み合わせに応じたアイコン５１の各々に対応付けられる名称（設定値）である。図２（ａ）に示す例では、アイコン５１ａの上方にはアイコン名７１として「Ｎｏｒｍａｌ」が表示される。
【００２３】
コピー設定画面５０ａの右上方には、表示領域７２が設けられる。表示領域７２には、選択されているアイコン５１に対応付けられている設定値の組み合わせのうち、少なくとも一部の設定値が表示される。図２（ａ）に示す例では、選択されているアイコン５１ａに対応付けられている設定値のうち、用紙種類の設定値（Ｐｌａｉｎ  ｐａｐｅｒ）、用紙サイズの設定値（Ａ４）、および、使用する給紙トレイ（図示せず）の設定値（Ａｕｔｏ  Ｔｒａｙ  Ｓｅｌｅｃｔ）が、表示領域７２に表示されている。一方、コピー設定画面５０ａの左上方には、コピー枚数（コピーによる印刷枚数）の設定値７３が表示される。コピー枚数の設定値７３は、選択されているアイコン５１に限らず、コピー設定画面５０ａに表示可能なアイコン５１の全てに共通して設定される設定値である。設定値７３は、何れのアイコン５１が選択されているかにかかわらず、操作キー１５の１つであるテンキーを操作することによって、適宜変更できる。
【００２４】
ユーザが、モノクロコピーボタン６２またはカラーコピーボタン６３に対するタッチ操作を行った場合、ＭＦＰ１０は、選択されたアイコン５１に対応付けられている設定値の組み合わせを用いたモノクロコピーまたはカラーコピーを実行する。このとき、コピー枚数は、設定値７３が示す枚数である。例えば、図２（ａ）に示すコピー設定画面５０ａにおいて、ボタン６２またはボタン６３に対するタッチ操作が行われた場合、ＭＦＰ１０は、選択されているアイコン５１ａに対応付けられている設定値の組み合わせを用いた１枚のモノクロコピーまたはカラーコピーを実行する。一方、ユーザが、オプションボタン６４に対するタッチ操作を行った場合、ＭＦＰ１０は、設定画面５０に換えて、選択されたアイコン５１に対応付けられている設定値を個別に設定するための設定画面８０（図３参照）をＬＣＤ１６に表示する。ユーザは、設定画面８０において、選択されたアイコン５１に対応付けられている設定値を個別に変更できる。
【００２５】
アイコン５１は、各アイコン５１に対し予め決められた配列順でコピー設定画面５０ａに表示される。左右方向に一列に並ぶアイコン５１は、アイコン５１が並ぶ方向（左または右方向）に沿うドラッグ操作またはフリック操作をタッチパネル１７に入力することによって、その配列順を保ちつつ、各操作の操作方向に沿った方向にスクロールさせることができる。よって、ユーザは、左または右方向にドラッグ操作またはフリック操作を行い、左右方向に並ぶアイコン５１を適宜スクロールさせることにより、マーク６１の下方に位置されるアイコン５１、すなわち、選択されたアイコン５１を、自身が所望するアイコン５１に変更することができる。
【００２６】
「ドラッグ操作」とは、ユーザが、指などの指示物をタッチパネル１７に接触または近づけ、当該指示物をタッチパネル１７に接触または近づけたまま所定の操作方向（移動方向）に移動させる操作である。一方、「フリック操作」とは、ユーザが、指などの指示物をタッチパネル１７に接触または近づけてから、所定の操作方向に軽くはじく操作である。以下では、ドラッグ操作およびフリック操作を「移動操作」と総称することがある。例えば、図２（ｂ）に示すように、ユーザが、コピー設定画面５０ａにおける位置Ｔを指でタッチし、タッチさせた指を右方向（矢印ＭＲ方向）に移動させる移動操作（ドラッグ操作、フリック操作）を行った場合、左右方向に並ぶアイコン５１は、右方向（矢印Ｒ方向）にスクロールする。
【００２７】
また、コピー設定画面５０ａに表示可能なアイコン５１の総数が、ＬＣＤ１６の左右方向に並べて表示可能なアイコン５１の数より多い場合、全アイコン５１のうち、ＬＣＤ１６に収まらない一部のアイコン５１は非表示とされる。左右方向に並んで表示されるアイコン５１を適宜スクロールさせることにより、非表示のアイコン５１をコピー設定画面５０ａに表示させることができる。
【００２８】
ＭＦＰ１０は、アイコン５１をスクロールさせた場合に、そのスクロール中、表示領域７２に設定値を表示しないように構成される。同様に、ＭＦＰ１０は、アイコン５１のスクロール中は、アイコン名７１も表示しないように構成される。つまり、本実施形態のＭＦＰ１０は、いずれのアイコン５１もマーク６１の下方（指定位置）に静止した状態で位置せず選択された状態にない場合、複数のアイコン５１各々に対応付けられている設定値である、表示領域７２の表示対象となる設定値およびアイコン名７１の表示を行わないように構成される。選択すべきアイコン５１を変更するため動作であるスクロール中において、各アイコン５１に対応する設定値が表示されないので、ユーザは、表示領域７２に表示される設定値やアイコン名５１に惑わされずに、所望のアイコン５１を選択できる。また、アイコン５１のスクロール中に表示される情報を少なくしたことにより、アイコン５１のスクロール中におけるコピー設定画面５１ａの視認性も向上される。よって、ユーザインタフェースとしての設定画面５０（コピー設定画面５０ａ）の操作性が向上される。
【００２９】
一方、ＭＦＰ１０は、アイコン５１のスクロール中であっても、設定値７３の表示を継続する。つまり、本実施形態のＭＦＰ１０は、特定のアイコン５１が選択されているか否かにかかわらず、アイコン５１のスクロール中も、全てのアイコン５１に共通して設定される設定値７３の表示は継続して行う。よって、ユーザは、アイコン５１がスクロールされるか否かにかかわらず、全てのアイコン５１に共通して設定される設定値を常に認識できる。かかる点においても、ユーザインタフェースとしての設定画面５０の操作性が向上される。
【００３０】
移動操作（ドラッグ操作、フリック操作）がタッチパネル１７に対して入力された場合、アイコン５１のスクロール量（移動量）は、移動操作を行った指（指示物）の移動に応じて検出された量に基づいて算出される。具体的に、ドラッグ操作が行われた場合、スクロール量は、ドラッグ操作時における指の移動量に基づいて算出される。一方、フリック操作が行われた場合、スクロール量は、フリック操作において軽くはじいた指の加速度に基づいて算出される。
【００３１】
ＭＦＰ１０は、アイコン５１を右方向にスクロールさせた場合、左右方向に並ぶアイコン５１のうち、左端に位置するアイコン５１ｂが、マーク６１の下方（指定位置）に達すると、アイコン５１ｂを右方向にそれ以上スクロールできないように構成される。よって、例えば、図２（ａ）に示す画面の状態から、右方向の移動操作（ドラッグ操作、フリック操作）が入力され、当該移動操作に基づくスクロール量が、左端に位置するアイコン５１（５１ｂ）がスクロール前に停止していた位置から、マーク６１の下方の指定位置に達するまでの距離Ｘを超えたとしても、左端のアイコン５１ｂは、当該指定位置に止まり、右方向（ＳＲ方向）にそれ以上スクロールされない。同様に、図示はしないが、左方向の移動操作が入力された場合、当該移動操作に基づくスクロール量が、右端に位置するアイコン５１がスクロール前に停止していた位置から、指定位置に達するまでの距離を超えたとしても、右端のアイコン５１ｂは、当該指定位置に止まり、左方向にそれ以上スクロールされない。
【００３２】
本実施形態のＭＦＰ１０は、入力された移動操作に基づくスクロール量が、左端または右端に位置するアイコン５１がスクロール前に停止していた位置から、指定位置に達するまでの距離を超えた場合、設定画面５０に表示されるアイコン５１の透明度を高くするように構成される。「透明度」は、画像の透明性を示す値であり、画像の「透明度」が高い程、当該画像の透明性が高いことを示す。ユーザは、アイコン５１の「透明度」が高い程、アイコン５１が薄く表示されているように認識する。よって、例えば、図２（ｃ）に示すように、入力された移動操作に基づくスクロール量が、スクロール可能な量である距離Ｘを超えた場合、ユーザは、設定画面５０に表示されるアイコン５１が、スクロールが行われる前に比べて薄く表示されていると認識する。ユーザは、表示されるアイコン５１の透明度の変換を認識することによって、アイコン５１が右または左方向にそれ以上スクロールできないことを視覚的に認識できる。これにより、ユーザは、移動操作を大きく行ったにもかかわらず、アイコン５１が自身の意図より大きくスクロールされなかったことに対し、アイコン５１の透明度の変化によって、移動操作の失敗でなく、スクロール可能な量を超えていることを区別して認識できる。従って、アイコン５１をスクロール可能に構成されるユーザインタフェース（設定画面５０）における操作性が向上される。
【００３３】
さらに、ＭＦＰ１０は、入力された移動操作に基づくスクロール量が、スクロール可能な量（図２（ｃ）における距離Ｘ）を超えた場合、その超過量（図２（ｃ）における距離α）が増えるほど、アイコン５１の透明度を高くするように構成される。つまり、ユーザが、スクロール可能な量を超えるドラッグ操作またはフリック操作を行った場合には、その操作が大きく行われる程、ユーザは、表示されているアイコン５１がフェードアウトするように認識する。よって、ユーザは、ある位置からアイコン５１がそれ以上移動できないことを、アイコン５１のフェードアウトによって感覚的に認識することができるので、端に位置するアイコン５１が指定位置に達したことを認識し易い。ただし、ＭＦＰ１０は、入力された移動操作に基づくスクロール量が、スクロール可能な量が超えた場合であっても、アイコン５１の透明度を、画像が完全に透明となる１００％より小さい値、例えば、５０％の透明度にするように構成される。よって、移動操作の入力に伴って、アイコン５１が不可視になることがないので、アイコン５１が視認できなくなったことでユーザが混乱することを防止できる。
【００３４】
ＭＦＰ１０は、入力された移動操作に基づくスクロール量が、スクロール可能な量を超えた場合、上述した通り、アイコン５１の透明度を高めるが（図２（ｃ））、その後の所定のタイミングで、図２（ｄ）に示すように、アイコン５１の透明度を元の値に戻す。つまり、アイコン５１の透明度を高めた後、所定のタイミングで、アイコン５１の透明度を、移動指示を受け付ける前（すなわち、スクロールが行われる前）と同じ透明度に戻す。よって、ユーザは、アイコン５１の透明度の一時的な変化によって、端に位置するアイコン５１が指定位置に達したことを強く認識し易い。なお、高くした透明度を元に戻す「所定のタイミング」としては、移動操作がドラッグ操作であった場合には、タッチパネル１７に接触または近づけていた指（指示物）が離されたことにより、タッチパネル１７が当該指を検出しなくなったタイミングである。一方、移動操作がフリック操作であった場合には、当該フリック操作が行われから所定時間後のタイミングである。当該所定時間は、例えば、フリック操作において軽くはじいた指の加速度に応じて決定される。この場合、当該加速度に応じて決定されるスクロール量とスクロール可能な量との差分に応じて決められる時間としてもよいし、当該加速度に依存する関数に基づき決定される時間としてもよい。あるいは、当該所定時間を、指の加速度とは無関係に予め決められている一定時間としてもよい。
【００３５】
また、アイコン５１の透明度が元の値に戻されるとともに、マーク６１の下方（指定位置）に位置するアイコン５１が選択されたアイコン５１となる。よって、選択されたアイコン５１、図２（ｄ）に示す例では、アイコン５１ｂのアイコン名７１および設定値が、それぞれ、選択されたアイコン５１の上方および表示領域７２にそれぞれ再度表示される。このように、入力された移動操作に基づくスクロール量が、スクロール可能な量を超え、アイコン５１の透明度を高めた場合であっても、その後の所定のタイミングで、設定画面５１の表示は、アイコン５１の透明度を含め、移動指示の入力前の状態に戻されるので、ユーザは、移動指示の入力前と同様に設定画面５０を操作できるので、ユーザインタフェースである設定画面５０の操作性が良い。
【００３６】
図３は、選択されたアイコン５１に対応付けられている設定値を個別に設定するための設定画面８０の一例を示す模式図である。図３に例示する設定画面８０は、図２（ａ）に示すコピー設定画面５０ａにおいてオプションボタン６４に対するタッチ操作が行われた場合に表示される画面である。図３（ａ）に示すように、設定画面８０の右側（矢印Ｒ側）には、設定画面８０に対応するアイコン５１、すなわち、オプションボタン６４が操作されたときに選択されていたアイコン５１が表示される。表示されたアイコン５１の上方には、対応するアイコン名７１が表示される。
【００３７】
設定画面８０の左側（矢印Ｌ側）には、各設定値の項目リスト９０が表示される。項目リスト９０は、上下方向（矢印ＵＢ方向）に並ぶ、各設定値に対応する複数の項目画像９１から構成されるリストである。１の項目画像９１に対し、設定値データ１２ｂとして記憶されている設定値の１つが対応付けられる。表示されている項目画像９１のうち、１の項目画像９１に対するタッチ操作が行われた場合、操作された項目画像９１に対応する設定値を変更可能な画面が表示される。よって、ユーザは、変更を所望する設定値に対応する項目画像９１をタッチし、表示された画面において設定値を変更する操作を行うことにより、タッチされた項目画像９１に対応する設定値を変更できる。ＯＫボタン１０１に対するタッチ操作が行われると、変更後の設定値が、設定画面８０の右側に表示されるアイコン５１に対応する設定値として反映される。
【００３８】
上述した設定画面５０に表示されるアイコン５１と同様、項目リスト９０を構成する複数の項目画像９１もまた予め決められた配列順で表示される。上下方向に一列に並ぶ項目画像９１は、項目画像９１が並ぶ方向（上または下方向）に沿う移動操作（ドラッグ操作、フリック操作）をタッチパネル１７に入力することによって、その配列順を保ちつつ、各操作の操作方向に沿った方向にスクロールさせることができる。このときのスクロール量は、上述したアイコン５１の場合と同様、移動操作を行った指（指示物）の移動に応じて検出された量に基づいて算出される。なお、設定画面８０に表示されるアイコン５１は、設定画面５０において選択されていたアイコン５１であるので、項目画像９１のスクロール中も、アイコン名７１は非表示にされることなく、その表示が継続される。
【００３９】
項目リスト９０を構成する項目画像９１の総数が、ＬＣＤ１６の上下方向に並べて表示可能な項目リスト９０の数より多い場合、全項目画像９１のうち、ＬＣＤ１６に収まらない一部の項目画像９１は非表示とされる。よって、上述したアイコン５１の場合と同様に、上下方向に並ぶ項目画像９１を適宜スクロールさせることにより、非表示であった項目画像９１を設定画面８０に表示させることができる。また、ＭＦＰ１０は、項目画像９１を下方向にスクロールさせた場合、図３（ａ）に示すように、項目リスト９０を構成する項目画像９１のうち、上端にある項目画像９１（９１ａ）が、項目リスト９０の表示領域の上端に位置した場合には、項目画像９１を下方向（Ｂ方向）にそれ以上スクロールできないように構成される。同様に、ＭＦＰ１０は、項目画像９１を上方向にスクロールさせた場合、項目リスト９０を構成する項目画像９１のうち、下端にある項目画像９１が、項目リスト９０の表示領域の下端に位置した場合、項目画像９１を上方向（Ｕ方向）にそれ以上スクロールできないように構成される。
【００４０】
本実施形態のＭＦＰ１０は、上述したアイコン５１と同様、入力された移動操作に基づくスクロール量が、スクロール可能な量を超えた場合、表示されている項目画像９１の透明度を高めるように構成される。よって、図３（ａ）に示す例では、上端の項目画像９１ａが表示領域の上端に位置するので、かかる状態から、下方向の移動操作を入力した場合には、図３（ｂ）に示すように、項目画像９１は、図３（ａ）の状態からスクロールされることなく、その透明度が高められる。同様に、図３（ｃ）に示すように、下端の項目画像９１ｂが表示領域の下端に位置する状態から、上方向（矢印Ｕ方向）の移動操作を入力した場合には、項目画像９１はスクロールされることなく、その透明度が高められる。よって、項目リスト９０（項目画像９１）をスクロール可能に構成される設定画面８０もまた、設定画面５０と同様にユーザインタフェースとしての操作性が向上される。
【００４１】
なお、項目画像９１についても、上述したアイコン５１と同様、入力された移動操作に基づくスクロール量が、スクロール可能な量を超えた場合には、その超過量が増えるほど、項目画像９１の透明度は高くされる。また、透明度が高められた項目画像９１は、上述したアイコン５１と同様、所定のタイミングで、項目画像９１の透明度が元の値に戻される。
【００４２】
図４は、表示制御処理を示すフローチャートである。本処理は、制御プログラム１２ａに従ってＣＰＵ１１が実行する処理であり、設定画面５０や設定画面８０などの各種画面をＬＣＤ１６に表示させる処理である。本処理は、ＭＦＰ１０に電源が投入されると開始される。ＣＰＵ１１は、ステップＳ４０１（以下、ステップを省略）において、現在の表示対象である画面を表示する。なお、Ｓ４０１において表示対象となる画面が、スクロール可能な所定方向に並ぶ複数の画像を表示可能な画面である場合、当該複数の画像のうち、当該複数の画像の並びにおける先頭の画像が、画面内の所定位置に表示される。
【００４３】
表示された画面が、設定画面５０または設定画面８０でない場合（Ｓ４０２：Ｎｏ）、ＣＰＵ１１は、表示されている画面に応じた各処理、例えば、受け付けたイベントに応じた処理を実行する（Ｓ４１６）。Ｓ４１６において実行された処理が画面変更でなければ（Ｓ４１６：Ｎｏ）、ＣＰＵ１１は、引き続き、表示されている画面に応じた各処理を実行する（Ｓ４１６）。一方、Ｓ４１６において実行された処理が画面変更であれば（Ｓ４１６：Ｙｅｓ）、ＣＰＵ１１は、処理をＳ４０１に移行し、変更後の画面を表示対象の画面として表示する。
【００４４】
一方、表示された画面が、設定画面５０または設定画面８０である場合（Ｓ４０２：Ｙｅｓ）、ＣＰＵ１１は、イベントを受け付ける処理を行う（Ｓ４０３）。次に、ＣＰＵ１１は、受け付けたイベントが移動指示イベントであるか否かを判断する（Ｓ４０４）。「移動指示イベント」は、移動操作（ドラッグ操作またはフリック操作）のイベントである。ＣＰＵ１１は、ドラッグ操作またはフリック操作がタッチパネル１７に対して入力されたことに基づき、移動指示イベントを受け付ける。
【００４５】
ＣＰＵ１１が、移動指示イベント以外のイベント、例えば、設定画面５０に表示される各種ボタン６２〜６４のいずれかが操作されたことに基づく操作イベントを受け付けた場合（Ｓ４０４：Ｎｏ）、ＣＰＵ１１は、受け付けたイベントに応じた処理を実行する（Ｓ４１８）。Ｓ４１８において実行された処理が画面変更でなければ（Ｓ４１８：Ｎｏ）、ＣＰＵ１１は、引き続き、イベントを受け付ける処理を行う（Ｓ４０３）。一方、Ｓ４１８において実行された処理が画面変更であれば（Ｓ４１８：Ｙｅｓ）、ＣＰＵ１１は、処理をＳ４０１に移行し、変更後の画面を表示対象の画面として表示する。
【００４６】
ＣＰＵ１１が、移動指示イベント、すなわち、ドラッグ操作またはフリック操作のイベントを受け付けた場合（Ｓ４０４：Ｙｅｓ）、表示されている設定画面が、オプションの設定画面でない、すなわち、設定画面５０であれば（Ｓ４０５：Ｎｏ）、ＣＰＵ１１は、機能の用途に応じた設定値を非表示とする（Ｓ４０６）。これにより、表示領域７２に表示されている設定値が非表示となる。また、ＣＰＵ１１は、アイコンを示す設定値を非表示とし（Ｓ４０７）、処理をＳ４０８に移行する。Ｓ４０７の処理により、表示されているアイコン名７１が非表示となる。一方で、表示されている設定画面が、オプションの設定画面（設定画面８０）であれば（Ｓ４０４：Ｎｏ）、ＣＰＵ１１は、処理をＳ４０８に移行する。
【００４７】
Ｓ４０８において、ＣＰＵ１１は、移動指示イベントを受け付けるトリガとなった移動操作（ドラッグ操作、フリック操作）を行った指（指示物）の移動に応じて検出された量に基づき、アイコン５１や項目画像９１などの画像のスクロール量を算出する（Ｓ４０８）。上述した通り、移動操作がドラッグ操作である場合、指の移動量に基づいてスクロール量を算出し、移動操作がフリック操作である場合、軽くはじいた指の加速度に基づいてスクロール量を算出する。次に、ＣＰＵ１１は、算出された移動量だけ指定方向への画像のスクロールが可能であるかを判断する（Ｓ４０９）。具体的に、算出されたスクロール量が、移動操作の操作方向に移動させたときにスクロール可能な量以下である場合、ＣＰＵ１１は、画像のスクロールが可能であると判断する。一方、算出されたスクロール量が、移動操作の操作方向に移動させたときにスクロール可能な量を超える場合、ＣＰＵ１１は、画像のスクロールが不可能であると判断する。
【００４８】
Ｓ４０９において、画像のスクロールが不可能であるとＣＰＵ１１が判断した場合（Ｓ４０９：Ｎｏ）、ＣＰＵ１１は、算出されたスクロール量と、移動操作の操作方向に移動させたときにスクロール可能な量との差分、すなわち、スクロール可能な量に対して超過するスクロール量に応じて、画像の透明度を算出する（Ｓ４１０）。本実施形態では、ＣＰＵ１１は、Ｓ４１０において、画像が不可視にならない所定の透明度を最大値として、前記差分が大きくなる程、透明度の値が大きくなるような関数を用い、前記差分に対する透明度を算出する。次に、ＣＰＵ１１は、スクロール後に表示させる画像を、算出された透明度で作成し（Ｓ４１１）、処理をＳ４１２に移行する。
【００４９】
一方、Ｓ４０９において、画像のスクロールが可能であるとＣＰＵ１１が判断した場合（Ｓ４０９：Ｙｅｓ）、ＣＰＵ１１は、スクロール後に表示させる画像を基準の透明度で作成し（Ｓ４２０）、処理をＳ４１２に移行する。なお、基準の透明度は、設定画面５０，８０に表示させる画像（アイコン５１，項目画像９１）に適用可能な透明度のうち、予め決められている最も低い透明度である。
【００５０】
Ｓ４１２において、ＣＰＵ１１は、画像のスクロール処理を実行する。具体的に、ＣＰＵ１１は、Ｓ４１２において、移動指示イベントを受け付ける前（すなわち、移動指示が入力される前）から設定画面に表示されていた画像（アイコン５１，項目画像９１）を、移動指示イベントを受け付けるトリガとなった移動操作の操作方向に、所定のスクロール速度で、Ｓ４０８において算出されたスクロール量に応じた位置までスクロールし、当該スクロールを停止する。なお、Ｓ４１２の処理で画像がスクロールによって実際に移動する距離は、Ｓ４０９において、ＣＰＵ１１が画像のスクロールが可能であると判断した場合には、算出されたスクロール量に等しい距離であり、ＣＰＵ１１が画像のスクロールが不可能であると判断した場合には、指定位置に達するまでの距離である。
【００５１】
Ｓ４１２の処理後、表示されている設定画面が設定画面５０であれば（Ｓ４１３：Ｎｏ）、ＣＰＵ１１は、指定位置に位置するアイコン５１に対応する機能の用途に応じた設定値およびアイコンを示す設定値を表示し（Ｓ４１４，Ｓ４１５）、処理をＳ４０３に移行する。Ｓ４１４，Ｓ４１５の処理により、選択されているアイコン５１に対応する設定値が表示領域７２に表示されるともに、当該アイコン５１の上方に対応するアイコン名７１が表示される。一方、表示されている設定画面が設定画面８０であれば（Ｓ４１３：Ｙｅｓ）、ＣＰＵ１１は、処理をＳ４０３に移行する。
【００５２】
本実施形態のＭＦＰ１によれば、設定画面５０，８０のように、所定方向に並ぶ画像（アイコン５１，項目画像９１）をスクロール可能な画面において、入力された移動操作に基づくスクロール量が、スクロール可能な量を超えた場合、スクロール後の画像の透明度が高くされる。よって、ユーザは、画像の透明度の変換を認識することによって、画像がそれ以上スクロールできないことを視覚的に認識できるので、ユーザインタフェースとしての当該画面の操作性を向上できる。
【００５３】
上記実施形態において、ＭＦＰ１０が、表示装置の一例である。ＬＣＤ１６が、表示部の一例である。タッチパネル１７が、タッチパネルの一例である。ＣＰＵ１１が、制御部の一例である。フラッシュメモリ１２が、記憶部の一例である。スキャナ１８，プリンタ１９が、機能部の一例である。アイコン５１，項目画像９１が、画像の一例である。アイコン５１ｂ，項目画像９１ａが、所定方向に並ぶ画像の配列順に従う先頭の画像の一例である。項目画像９１ｂが、所定方向に並ぶ画像の配列順に従う最後尾の画像の一例である。設定値データ１２ｂが、第１設定データの一例である。アイコン名データ１２ｃが、第２設定データの一例である。Ｓ４０１，Ｓ４１２の処理を実行するＣＰＵ１１が、画像表示手段の一例である。Ｓ４０４の処理を実行するＣＰＵ１１が、判断手段の一例である。Ｓ４０８の処理を実行するＣＰＵ１１が、移動量算出手段の一例である。Ｓ４１２の処理を実行するＣＰＵ１１が、画像更新手段の一例である。Ｓ４１１の処理を実行するＣＰＵ１１が、態様制御手段の一例である。
【００５４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００５５】
例えば、上記実施形態では、ＭＦＰ１０を本発明の表示装置として例示したが、タッチパネルに対して入力した操作に応じて所定方向に並ぶ画像をスクロール可能な画面を表示可能な装置であれば、複数の機能を有するＭＦＰ１０に限らず、プリンタやスキャナなどの単機能に特化された装置や、スマートフォンや携帯電話などの携帯端末や、タブレット端末や、パーソナルコンピュータや、デジタルカメラや、音楽再生装置など、各種装置を本発明の表示装置として採用してもよい。
【００５６】
上記実施形態では、タッチパネルに対して入力した操作に応じて所定方向に並ぶ画像をスクロール可能な画面を表示可能な表示部を一体的に有するＭＦＰ１０を本発明の表示装置として例示したが、タッチパネルに対して入力した操作に応じて所定方向に並ぶ画像をスクロール可能な画面を表示可能な表示部と、当該表示部を制御する制御部とが別々の筐体で構成される装置を本発明の表示装置として採用してもよい。
【００５７】
上記実施形態では、本発明を適用する画面として、コピー機能に関する設定画面を例示したが、所定方向に並ぶ複数の画像をスクロール可能な画面であれば、特に限定されずに本発明を適用できる。例えば、上記実施形態において例示した設定画面５０，９０のように、装置で実行可能な機能に関する設定画面に限らず、複数の画像をスクロール可能に一覧表示する画面などに対しても本発明を適用できる。また、上記実施形態では、左右方向または上下方向に一列に並ぶ複数の画像がスクロールされた場合を例示したが、左右方向または上下方向に複数列並ぶ画像をスクロールさせる場合にも、本発明を適用できる。
【００５８】
上記実施形態では、スクロール対象であるアイコン５１や項目画像９１が、ＭＦＰ１０に内蔵されるフラッシュメモリ１２に記憶される設定値データ１２ｂに対応する画像であるものとして説明したが、スクロール対象である画像が、メモリカードなどの記録メディアなどに記録されている設定値データに対応する画像であってもよい。
【００５９】
上記実施形態では、入力された移動操作に基づくスクロール量が、スクロール可能な量を超えた場合、スクロール後の画像の透明度を高くする構成としたが、当該場合に、画像の色や、画像の背景色や、画像の大きさなど、透明度以外の表示態様を変更させてもよい。
【００６０】
上記実施形態では、入力された移動操作に基づくスクロール量が、スクロール可能な量を超えた場合、その超過量が増えるほど、画像の透明度を高くする構成としたが、当該場合には、超過量にかかわらず、スクロール前より一律に高い透明度にする構成としてもよい。
【００６１】
上記実施形態では、入力された移動操作に基づくスクロール量が、スクロール可能な量を超えた場合、画面に表示されている全ての対象画像の透明度を一様に高くする構成としたが、当該場合に、複数の対象画像が画面に表示されているときには、それら複数の画像における一方から他方にかけて画像の透明度が順次高くなるように構成してもよい。例えば、複数の画像の並びのうち最も端に位置する画像の透明度を最も低くし、当該端から離れるにつれて画像の透明度が順次高くなるように構成してもよい。なお、透明度に換えて、他の表示態様を変化させる場合には、複数の画像における一方から他方にかけて、表示態様が順次変化するようにしてもよい。
【００６２】
上記実施形態では、入力された移動操作に基づくスクロール量が、スクロール可能な量を超えた場合に、透明度が不可視にならない範囲で透明度を高くする構成としたが、当該場合に、透明度を画像が不可視になる値としてもよい。
【００６３】
上記実施形態では、入力された移動操作に基づくスクロール量が、スクロール可能な量を超えた場合、スクロール後の画像の透明度を高くする構成としたが、当該場合に、スクロール後の画像の透明度を低くする構成としてもよい。
【００６４】
上記実施形態では、画像の透明度が高くされた場合、高くされた透明度は一時的であり、ドラッグ操作またはフリック操作後の所定のタイミングで自動的に当該透明度が元に戻される構成としたが、高くされた透明度は自動的には元に戻らず、ユーザが画面をタッチするなどの所定の操作があった場合に透明度が元に戻される構成としてもよい。
【００６５】
上記実施形態および変形例では、ＣＰＵ１１が、図４に記載される各処理を実行する構成として説明したが、図４に記載される各処理を、複数のＣＰＵが協同的に実行する構成としてもよい。また、ＡＳＩＣなどのＩＣが、図４に記載される各処理を実行する構成してもよい。また、ＣＰＵ１１とＡＳＩＣなどのＩＣとが協同して、図４に記載される各処理を実行する構成してもよい。
【符号の説明】
【００６６】
１０            ＭＦＰ
１１            ＣＰＵ
１２ａ          制御プログラム
【図１】
2014160323.tif 000003
【図４】
2014160323.tif 000004
【図２】
2014160323.tif 000005
【図３】
2014160323.tif 000006